(57)【要約】【課題】注射器または翼状針による針刺し事故を防止し、使用済みの注射針を安全に廃棄できる簡単な構造の注射針安全器具を提供する。【解決手段】安全器具の１つは、注射器の注射針を保護する筒状のキャップに装着され、キャップ外周部に嵌合する通孔が設けられたキャップホルダー部と先端が外側に湾曲した形状の取っ手とを有する付帯部品である。安全器具のもう１つは、取っ手が一体成形された注射針用のキャップである。安全器具のさらに他の１つは、柔軟性のあるパイプで構成され、前方に注射針が収納される針収納部と、中央に翼板の軸が留め置かれる係止部と、その上方に開口する挿入部と、輸液チューブが通されるハンドル部とを有するプロテクターである。【選択図】図７
2006296987.tif 000002
【特許請求の範囲】
【請求項１】
注射器の注射針を保護する筒状のキャップに装着される付帯部品であって、前記キャップの開口部側の外周部に嵌合する通孔が設けられたキャップホルダー部と、前記キャップホルダー部の開口部に設けられ、先端が外側に湾曲した取っ手とからなることを特徴とする注射針安全器具。
【請求項２】
注射器の注射針を保護する筒状のキャップであって、先端が外側に湾曲した取っ手が前記キャップの開口部に一体に成形されていることを特徴とする注射針安全器具。
【請求項３】
注射針と翼板と輸液チューブからなる翼状針用のプロテクターであって、前記輸液チューブの外径より大きな内径を有し、柔軟性のあるパイプで構成されとともに、前方に前記注射針が収納される針収納部と、中央に前記翼板の軸が留め置かれる係止部と、前記係止部の後端から上方に開口する挿入部と、後方に前記輸液チューブが通されるハンドル部とを有することを特徴とする注射針安全器具。
【発明の詳細な説明】
【技術分野】
【０００１】
本発明は、針刺し事故を防止し使用済みの注射針を安全に廃棄できる注射針安全器具に関する。
【背景技術】
【０００２】
注射器または点滴や輸血時に使用される翼状針は、患者の体から抜き去った後、再度、キャップやプロテクターがかぶせられる。このキャップやプロテクテクターには各種のものがある。注射器の例では、針の部分に筒状のキャップがかぶせられる。（特許文献１参照）
翼状針の例では、針の根元を支点に回動するプロテクターが設けられ、プロテクターをヒンジで回動し、その開閉動作で針を露出させたり覆ったりする。（特許文献１参照）
【０００３】
注射器のキャップの例では、使用後に針をキャップに収納する場合、キャップを持った一方の手をめがけて針が移動するので、針刺し事故を起こす可能性が指摘される。また、翼状針のプロテクターの例では、プロテクターで針を覆うための動作に針の移動はないが、きわめて精密なヒンジ部品などを必要とする。
【特許文献１】実開平５−５１３５３号公報
【特許文献２】特開２０００−８４０７９号公報
【発明の開示】
【発明が解決しようとする課題】
【０００４】
本発明の目的は、注射器または翼状針による針刺し事故を防止し、使用済みの注射針を安全に廃棄できる簡単な構造の注射針安全器具を提供することにある。
【課題を解決するための手段】
【０００５】
本発明による請求項１の注射針安全器具は、注射器の注射針を保護する筒状のキャップに装着される付帯部品であって、前記キャップの開口部側の外周部に嵌合する通孔が設けられたキャップホルダー部と、前記キャップホルダー部の開口部に設けられ、先端が外側に湾曲した取っ手とからなることを特徴とする。
【０００６】
本発明による請求項２の注射針安全器具は、注射器の注射針を保護する筒状のキャップであって、先端が外側に湾曲した取っ手が前記キャップの開口部に一体に成形されていることを特徴とする。
【０００７】
本発明による請求項３の注射針安全器具は、注射針と翼板と輸液チューブからなる翼状針用のプロテクターであって、前記輸液チューブの外径より大きな内径を有し、柔軟性のあるパイプで構成されとともに、前方に前記注射針が収納される針収納部と、中央に前記翼板の軸が留め置かれる係止部と、前記係止部の後端から上方に開口する挿入部と、後方に前記輸液チューブが通されるハンドル部とを有することを特徴とする。
【発明の効果】
【０００８】
請求項１の注射針安全器具によれば、既存の注射器に装着される筒状のキャップに、簡単に取り付けることのできる取っ手を付帯部品として設けたものである。これにより注射針が挿入されるキャップ開口部が、取っ手を持つ手から離されるので、誤って手を刺してしまう事故を防ぐことができる。
【０００９】
請求項２の注射針安全器具によれば、注射器の注射針に装着される筒状のキャップに、一体成形で取っ手を設けたものである。これにより注射針が挿入されるキャップ開口部が、取っ手を持つ手から離されるので、注射針の移動方向からずれて、誤って手を刺してしまう事故を防ぐことができる。
【００１０】
請求項３の注射針安全器具によれば、プロテクターのハンドル部を持って翼状針を挿入口に挿入する場合、挿入口がプロテクターを持つ手から離されるので、誤って手を刺してしまう事故を防ぐことができる。
【発明を実施するための最良の形態】
【００１１】
以下、本発明の実施例を、添付の図面を参照して詳細に説明する。
【実施例１】
【００１２】
図１は、本発明による注射針のキャップに装着される付帯部品の斜視図である。注射器１０は、注射針３を有し、注射針３には保護用のキャップ２がかぶせられる。付帯部品１は、キャップ２に装着される。付帯部品１は、通孔４が設けられたキャップホルダー部５と、キャップホルダー部５の開口部に設けられ、先端が外側に湾曲した形状の取っ手６からなる。通孔４は、キャップ２の開口部側の外周部に嵌合される。付帯部品１は、注射器１０の製造工程で、あらかじめキャップ２の開口部側に矢印で示すように装着される。
【００１３】
図２は、注射針を付帯部品が装着されたキャップに収納する場合の斜視図である。一方の手で付帯部品１の取っ手６を持ち、他方の手で注射器１０を矢印の方向に移動させ、注射針３をキャップ２の開口部に挿入する。そして、カチッと音がするまで取っ手６を引く。この状態で医療用廃棄物のかごに捨てるか、キャップ２がかぶせられた注射針３を注射器１０から取り外して、別々の医療用廃棄物のかごに捨てるようにする。注射針３の進行方向に取っ手を握る手がないので、針刺し事故の危険性を低くすることができる。
【実施例２】
【００１４】
図３は、取っ手が設けられた注射針のキャップの斜視図である。図３に示すように、キャップ２には取っ手６が一体成形されている。取っ手６はキャップ２の開口部に設けられ、その先端を外側に湾曲させて持ちやすいようにしている。使い方は、取っ手をキャップの付帯部品とした場合と同じで、取っ手６を持ち、他方の手で注射器１０を矢印の方向に移動させて、注射針３をキャップ２の開口部に挿入する。そして、カチッと音がするまで取っ手６を引っ張る。注射針３の進行方向に取っ手を握る手がないので、針刺し事故の危険性を低くすることができる。
【実施例３】
【００１５】
図４は、一般的な翼状針の斜視図である。翼状針７は、注射針３と、２枚の翼板８と、輸液チューブ９と、カテーテルとの連結部１１とからなる。連結部の一端にはカバー１２が冠せられる。カバー１２はプルレバー１３を引っ張り外すことができる。
【００１６】
図５は、本発明による翼状針用の筒状に形成されたプロテクターの図面である。図５（ａ）が正面図、図５（ｂ）が平面図である。プロテクター１５は、輸液チューブ９の外径より大きな内径を有する柔軟性のあるパイプで構成される。パイプは円筒または角筒のいずれでもよい。例として、円筒でその外径が５ｍｍ、内径が３ｍｍ、長さ８０ｍｍとすることができる。プロテクター１５の前方には、注射針３が収納される針収納部１６が、中央の両側面には、スリットで構成され、翼板８の軸が留め置かれる係止部１７及び該係止部１７の後端から上方に開口する挿入部１８が、その後方には輸液チューブ９が通されるハンドル部１９が設けられる。なお、プロテクター１５の左端は、図５では開口しているが、注射針から漏れ出た液が飛散しないよう閉じられる構造としてもよい。
【００１７】
図６は、翼状針が取り出される手順を示すプロテクターの斜視図である。図６（ａ）は翼状針７がプロテクター１５に収納された状態を示す。この状態は製品の出荷状態でもある。翼状針７の注射針３の部分は、プロテクター１５の針収納部１６に納められる。翼板８の軸の部分は、プロテクター１５の係止部１７にはめ込まれる。また、輸液チューブ９は、プロテクター１５のハンドル部１９の内部を通過させて、翼板８の後端に接続されている。図６（ａ）において、プロテクター１５の針収納部１６を一方の手で持ち、他方の手でハンドル部１９を操作矢印２０の方向に折り曲げると、図６（ｂ）で示す状態となる。
【００１８】
図６（ｂ）は、プロテクター１５の挿入部１８が上方から後方に開口されて、翼状針７を引き出せる状態を示す。一方の手で、針収納部１６とハンドル部１９の両方を持ち、他方の手で翼板８をつかんで操作矢印２１の方向に引き出すと、図６（ｃ）で示す状態となる。
【００１９】
図６（ｃ）は、プロテクター１５の針収納部１６から、翼状針７の注射針３が引き出された状態を示す。プロテクター１５は、輸液チューブ９に沿って連結部１１（図４参照）付近まで引き下げられ、操作の邪魔にならないようにされる。２枚の翼板８は、垂直に折り曲げられ、親指と人差し指で押さえられて操作される。
【００２０】
図７は、廃棄される翼状針がプロテクターに収納される手順を示す斜視図である。図７（ａ）は、翼状針７がプロテクター１５に収納されつつある状態を示す。一方の手で、ハンドル部１９を持ち、他方の手で翼板８をつかんで操作矢印２２の方向に注射針３を動かして、注射針３を挿入口１８に挿入すると、図７（ｂ）に示すような状態となる。
【００２１】
図７（ｂ）は、注射針３が針収納部１６に納められ、輸液チューブ９が引き出された状態を示す。次に、一方の手で、針収納部１６を持ち、他方の手で輸液チューブ９をつかんで操作矢印２３の方向に引き出すと、図７（ｃ）で示す状態となる。この状態は、翼状針７を医療用廃棄物のかごに捨てることができる状態である。
【実施例４】
【００２２】
図８は、本発明による翼状針用の凹形のプロテクターで、図８（ａ）が正面図、図８（ｂ）が平面図、図８（ｃ）が側面図である。凹形のプロテクター２５は、２つの係止部を有する。係止部２７が製品出荷時に翼状針７が留め置かれる箇所で、係止部２８が廃棄時に翼状針７が留め置かれる箇所である。係止部２８は、翼状針７がより抜けにくい構造としている。通孔２９は、輸液チューブ９が通されるから、翼状針７を使用中に、プロテクター２５を無くしてしまうことがない。使用済みの翼状針７は、中央の挿入部１８に戴置するとともに、後方にスライドさせて係止部２８に係止させる。注射針３を後進させるので、針刺し事故の危険性を低くすることができる。プロテクター２５の左端は、図８（ａ）では開口しているが、注射針から漏れ出た液が飛散しないよう閉じられる構造としてもよい。
【産業上の利用可能性】
【００２３】
本発明は、針刺し事故を防止し使用済みの注射針を安全に廃棄できる注射針安全器具として好適である。
【図面の簡単な説明】
【００２４】
【図１】本発明による注射針のキャップに装着される付帯部品の斜視図である。（実施例１）
【図２】注射針を付帯部品が装着されたキャップに収納する場合の斜視図である。（実施例１）
【図３】取っ手が設けられた注射針のキャップの斜視図である。（実施例２）
【図４】一般的な翼状針の斜視図である。
【図５】翼状針用の筒状に形成されたプロテクターの図面であり、（ａ）が正面図、（ｂ）が平面図である。（実施例３）
【図６】翼状針が取り出される手順を示す斜視図である。（ａ）は翼状針がプロテクターに収納された状態を示す。（ｂ）はプロテクターの挿入部が上方から後方に開口されて翼状針を引き出せる状態を示す。（ｃ）はプロテクターの針収納部から、翼状針の注射針が引き出された状態を示す。（実施例３）
【図７】廃棄される翼状針がプロテクターに収納される手順を示す斜視図である。（ａ）は翼状針がプロテクターに収納されつつある状態を示す。（ｂ）は注射針が針収納部に納められ、輸液チューブが引き出された状態を示す。（ｃ）は翼状針の廃棄可能状態を示す。（実施例３）
【図８】本発明による翼状針用の凹形プロテクターの図面で、（ａ）が正面図、（ｂ）が平面図、（ｃ）が側面図である。（実施例４）
【符号の説明】
【００２５】
１    付帯部品
２    キャップ
３    注射針
４    通孔
５    キャップホルダー部
６    取っ手
７    翼状針
８    翼板
９    輸液チューブ
１０    注射器
１１    連結部
１２    カバー
１３    プルレバー
１５    プロテクター（筒状）
１６    針収納部
１７    係止部
１８    挿入部
１９    ハンドル部
２０、２１、２２、２３    操作方向
２５    プロテクター（凹形）
２７、２８    係止部
２９    通孔
【図１】
2006296987.tif 000003
【図２】
2006296987.tif 000004
【図３】
2006296987.tif 000005
【図４】
2006296987.tif 000006
【図５】
2006296987.tif 000007
【図６】
2006296987.tif 000008
【図７】
2006296987.tif 000009
【図８】
2006296987.tif 000010